(57)【要約】      （修正有）【課題】発光流体を用いる二重螺旋導体電気システムを提供する。【解決手段】本体１５であって、絡み合わせられて互いに螺旋状に巻かれた第一のランナー１６および第二のランナー１７であって、該第一のランナーの少なくとも一部は中空であり、その結果、該第一のランナーは、該第一のランナーに長手軸方向に及ぶ空洞を備え、液体に対して非浸透性でありかつ半透明および／または透明である材料を含む、第一のランナーおよび第二のランナー;該第一のランナーの該空洞内を運ばれる液体であって、該液体は、該第一のランナーの該材料を通して電磁放射線を放出する、液体;ならびに該第一のランナーの周囲に螺旋状に巻かれた第一の伝導性ワイヤ;を備える、本体と、該第一の伝導性ワイヤに電気的に連結されている、交流電流源とを備える電気システムであって、該電気システムは、該交流が供給されることに応答して電磁的効果を発生させる構成とする。【選択図】図１
2015085196.tif 000002
【特許請求の範囲】
【請求項１】
本体であって、
絡み合わせられて互いに螺旋状に巻かれた第一のランナーおよび第二のランナーであって、該第一のランナーの少なくとも一部は中空であり、その結果、該第一のランナーは、該第一のランナーに長手軸方向に及ぶ空洞を備え、該第一のランナーは、液体に対して非浸透性でありかつ半透明および／または透明である材料を含む、第一のランナーおよび第二のランナー；
該第一のランナーの該空洞内を運ばれる液体であって、該液体は、該第一のランナーの該材料を通して電磁放射線を放出する、液体；ならびに
該第一のランナーの周囲に螺旋状に巻かれた第一の伝導性ワイヤ；
を備える、本体と、
１個または１個より多くの交流電流源であって、該１個または１個より多くの交流電流源は、該第一の伝導性ワイヤに電気的に連結されて交流を供給するように配置されている、１個または１個より多くの交流電流源と
を備える電気システムであって、該電気システムは、該交流が供給されることに応答して電磁的効果を発生させるように構成されている、電気システム。
【請求項２】
前記システムは、該システムの近位で被験体に治療を提供するようにさらに構成されており、該治療は、前記放出された電磁放射線および前記発生した電磁的効果を通して提供される、請求項１に記載のシステム。
【請求項３】
前記第二のランナーの少なくとも一部は中空であり、その結果、該第二のランナーは、該第二のランナーに長手軸方向に及ぶ第二の空洞を備え、該第二のランナーは、液体に対して非浸透性でありかつ半透明および／または透明である材料を含み、前記本体は、該第二のランナーの該第二の空洞内を運ばれる第二の液体をさらに備え、該第二の液体は、該第二のランナーの該材料を通して、前記第一のランナーの前記空洞内を運ばれる前記液体によって放出される前記電磁放射線に寄与する電磁放射線を放出し、該本体は、該第二のランナーの周囲に螺旋状に巻かれた第二の伝導性ワイヤをさらに備え、前記１個または１個より多くの交流電流源は、該第二の伝導性ワイヤに電気的に連結されて、前記発生する電磁的効果に寄与する第二の交流を供給するようにさらに配置されている、請求項１に記載のシステム。
【請求項４】
前記液体を前記第一のランナーの前記空洞に沿って第一の方向にポンプ送りするように構成された１個または１個より多くのポンプをさらに備える、請求項１に記載のシステム。
【請求項５】
前記液体を前記第一のランナーの前記空洞に沿って第一の方向にポンプ送りするように構成され、そして第二の液体を前記第二のランナーの第二の空洞に沿って第二の方向にポンプ送りするようにさらに構成された、１個または１個より多くのポンプをさらに備える、請求項２に記載のシステム。
【請求項６】
前記第一の方向は、前記第二の方向と類似である、請求項４に記載のシステム。
【請求項７】
前記第一の方向は、前記第二の方向と逆である、請求項４に記載のシステム。
【請求項８】
前記液体は、測定可能な量の左手系分子を含有する、請求項１に記載のシステム。
【請求項９】
前記液体は、測定可能な量の右手系分子を含有する、請求項１に記載のシステム。
【請求項１０】
前記液体は、測定可能な量の左手系分子を含有し、そして第二の液体は、測定可能な量の右手系分子を含有する、請求項２に記載のシステム。
【請求項１１】
左手系分子および前記右手系分子は、立体異性体の組から選択される、請求項９に記載のシステム。
【請求項１２】
前記液体を前記第一のランナーの前記空洞に沿って第一の方向にポンプ送りするように構成され、そして第二の液体を前記第二のランナーの第二の空洞に沿って第二の方向にポンプ送りするようにさらに構成された、１個または１個より多くのポンプをさらに備え、該第一の方向は、該第二の方向と逆である、請求項９に記載のシステム。
【請求項１３】
前記電磁的効果は電磁場を含む、請求項１に記載のシステム。
【請求項１４】
提供される治療は、光線療法を含む、請求項２に記載のシステム。
【請求項１５】
前記提供される治療は、フォトバイオモジュレーションを含む、請求項２に記載のシステム。
【請求項１６】
前記交流は、第一のキャリア信号、および１つまたは１つより多くの信号周波数を有する第一の変調信号を含み、該１つまたは１つより多くの信号周波数は、前記第一のランナーを通して放出される前記電磁放射線の１つまたは１つより多くのスペクトル特性に対応する、請求項１に記載のシステム。
【請求項１７】
前記治療は、前記被験体のエネルギーの流れと相互作用する、請求項２に記載のシステム。
【請求項１８】
本体であって、
絡み合わせられて互いに螺旋状に巻かれた第一のランナーおよび第二のランナー；
該第一のランナーの周囲に螺旋状に巻かれた管であって、該管は、液体に対して非浸透性でありかつ半透明および／または透明である材料を含む、管；ならびに
該管内を運ばれる液体であって、該液体は、該管の該材料を通して電磁放射線を放出する、液体；
を備える、本体と、
該液体を該管に沿ってポンプ送りするように構成された１個または１個より多くのポンプと
を備える、システム。
【請求項１９】
前記システムは、該システムの近位で被験体に治療を提供するようにさらに構成されており、該治療は、前記放出された電磁放射線を通して提供される、請求項１８に記載のシステム。
【請求項２０】
前記本体は、前記第二のランナーの周囲に螺旋状に巻かれた第二の管をさらに備え、該第二の管は、液体に対して非浸透性でありかつ半透明および／または透明である材料を含み、該本体は、該第二の管内を運ばれる第二の液体をさらに備え、該第二の液体は、該第二の管の該材料を通して、前記第一のランナーの周囲に巻かれた前記管内を運ばれる前記液体によって放出される前記電磁放射線に寄与する電磁放射線を放出し、前記１個または１個より多くのポンプは、該第二の液体を該第二の管に沿ってポンプ送りするようにさらに構成されている、請求項１８に記載のシステム。
【請求項２１】
前記液体は第一の方向にポンプ送りされ、そして前記第二の液体は第二の方向にポンプ送りされる、請求項２０に記載のシステム。
【請求項２２】
前記第一の方向は前記第二の方向と類似である、請求項２１に記載のシステム。
【請求項２３】
前記第一の方向は前記第二の方向と逆である、請求項２１に記載のシステム。
【請求項２４】
前記液体は、測定可能な量の左手系分子を含有する、請求項１８に記載のシステム。
【請求項２５】
前記液体は、測定可能な量の右手系分子を含有する、請求項１８に記載のシステム。
【請求項２６】
前記液体は、測定可能な量の左手系分子を含有し、そして前記第二の液体は、測定可能な量の右手系分子を含有する、請求項２０に記載のシステム。
【請求項２７】
前記左手系分子および前記右手系分子は、立体異性体の組から選択される、請求項２６に記載のシステム。
【請求項２８】
前記液体は、前記第二の液体と逆の方向にポンプ送りされる、請求項２６に記載のシステム。
【請求項２９】
前記本体は、前記第一のランナーの周囲に螺旋状に巻かれた伝導性ワイヤ、および１個または１個より多くの交流電流源をさらに備え、該１個または１個より多くの交流電流源は、該伝導性ワイヤに電気的に連結されて、該伝導性ワイヤを通して交流を供給するように構成されており、前記システムは、該交流が供給されることに応答して、電磁的効果を発生させるように構成されており、そして該電磁的効果は電磁場を含む、請求項１８に記載のシステム。
【請求項３０】
提供される治療は、光線療法を含む、請求項１９に記載のシステム。
【請求項３１】
前記提供される治療は、フォトバイオモジュレーションを含む、請求項１９に記載のシステム。
【請求項３２】
前記治療は、前記被験体のエネルギーの流れと相互作用する、請求項１９に記載のシステム。
【請求項３３】
本体であって、
絡み合わせられて螺旋状に巻かれた第一のランナーおよび第二のランナーであって、該第一のランナーは中空であり、その結果、該第一のランナーは、該第一のランナーに長手軸方向に及ぶ第一の空洞を備え、該第二のランナーは中空であり、その結果、該第二のランナーは、該第二のランナーに長手軸方向に及ぶ第二の空洞を備え、該第一のランナーおよび該第二のランナーは、液体に対して非浸透性でありかつ半透明および／または透明である材料を含む、第一のランナーおよび第二のランナー；
該第一のランナーの該第一の空洞内を運ばれる第一の液体であって、該第一の液体は、該第一のランナーを通して第一の型の電磁放射線を放出する、第一の液体；
該第二のランナーの該第二の空洞内を運ばれる第二の液体であって、該第二の液体は、該第二のランナーを通して第二の型の電磁放射線を放出する、第二の液体；
該第一のランナーの周囲に螺旋状に巻かれた第一の管であって、該管は、液体に対して非浸透性でありかつ半透明および／または透明である材料を含む、第一の管；
該第二のランナーの周囲に螺旋状に巻かれた第二の管であって、該第二の管は、液体に対して非浸透性でありかつ半透明および／または透明である材料を含む、第二の管；
該第一の管内を運ばれる第三の液体であって、該第三の液体は、該第一の管を通して第三の型の電磁放射線を放出する、第三の液体；ならびに
該第二の管内を運ばれる第四の液体であって、該第四の液体は、該第二の管を通して第四の型の電磁放射線を放出する、第四の液体；
を備える、本体
を備えるシステムであって、該システムは、該システムの近位で被験体に治療を提供するようにさらに構成されており、該治療は、放出される該第一の型の電磁放射線、該第二の型の電磁放射線、該第三の型の電磁放射線、および該第四の型の電磁放射線を通して提供される、システム。
【請求項３４】
前記第一の液体、前記第二の液体、前記第三の液体、および／または前記第四の液体のうちの１つまたは１つより多くを、それぞれ前記第一の空洞、前記第二の空洞、前記第一の管、および／または前記第二の管に沿ってポンプ送りするように構成された、１個または１個より多くのポンプをさらに備える、請求項３３に記載のシステム。
【請求項３５】
前記第一の液体は第一の方向にポンプ送りされ、前記第二の液体は第二の方向にポンプ送りされ、前記第三の液体は第三の方向にポンプ送りされ、そして前記第四の液体は第四の方向にポンプ送りされる、請求項３４に記載のシステム。
【請求項３６】
前記第一の方向および前記第三の方向は、前記第二の方向および前記第四の方向と逆である、請求項３４に記載のシステム。
【請求項３７】
前記第一の液体は、測定可能な量の左手系分子を含有する、請求項３３に記載のシステム。
【請求項３８】
前記第一の液体は、測定可能な量の右手系分子を含有する、請求項３３に記載のシステム。
【請求項３９】
前記第一の液体は、測定可能な量の左手系分子を含有する、請求項３４に記載のシステム。
【請求項４０】
前記第一の液体は、測定可能な量の右手系分子を含有する、請求項３４に記載のシステム。
【請求項４１】
前記第一の液体および前記第三の液体は、測定可能な量の左手系分子を含有し、そして前記第二の液体および前記第四の液体は、測定可能な量の右手系分子を含有する、請求項３３に記載のシステム。
【請求項４２】
前記左手系分子および前記右手系分子は、立体異性体の組から選択される、請求項４１に記載のシステム。
【請求項４３】
電磁的効果は電磁場を含む、請求項３３に記載のシステム。
【請求項４４】
提供される治療は、光線療法を含む、請求項３３に記載のシステム。
【請求項４５】
前記提供される治療は、フォトバイオモジュレーションを含む、請求項３３に記載のシステム。
【請求項４６】
前記治療は、前記被験体のエネルギーの流れと相互作用する、請求項３３に記載のシステム。
【請求項４７】
コンピュータ読み取り可能な命令によって、
１個または１個より多くのデジタルオーディオファイルを含む情報を得；
該得られた情報を処理し、そして該得られた情報に基づいて、処理された信号を発生させ、そして
該処理された信号に基づいて音響信号を生成し、ここで前記交流は、該生成された音響信号に対応するように動的に制御され、その結果、該交流の１つまたは１つより多くの周波数は、該生成された音響信号の１つまたは１つより多くの周波数に対応する
ように構成された１個または１個より多くの物理プロセッサをさらに備える、請求項１に記載の電気システム。
【請求項４８】
前記交流は、前記放出された電磁放射線の１つまたは１つより多くの周波数が前記生成された音響信号の１つまたは１つより多くの周波数に対応するように動的に制御される、請求項４７に記載の電気システム。
【発明の詳細な説明】
【技術分野】
【０００１】
発明の分野
本発明は、周囲に１本または１本より多くの伝導性ワイヤまたは管が巻かれ得る、螺旋状に巻かれたランナーを備える本体、このような本体を備えるように構成されたデバイスおよび／またはシステムに関する。本発明はさらに、このような本体、ならびに／あるいは１個または１個より多くの本体を備えるデバイスおよび／またはシステムの製造に関する。本発明はさらに、これらのデバイスおよびシステムの作動方法、ならびにその用途に関する。本発明はさらに、電磁場などの電磁的効果を使用することによって、患者に治療を提供するように構成されたデバイスおよび／またはシステムに関する。
【背景技術】
【０００２】
発明の背景
螺旋状に巻かれた導電体は、特定の電磁的性質を示し得、そして／あるいは特定の電磁場および／または電磁波を発生させることが公知である。例えば、電磁コイルは、誘導器および／または変圧器の一部として働き得、そして電気回路における確立された有用な多くの用途を有することが公知である。１個または１個より多くの電磁コイルは、例えば、１個または１個より多くの活性電流源が１個または１個より多くのコイルに動作可能に連結される場合にもたらされる電磁場および／または電磁波を利用するために使用され得る。
【発明の概要】
【課題を解決するための手段】
【０００３】
本発明は、例えば、以下を提供する：
（項目１）
本体であって、
絡み合わせられて互いに螺旋状に巻かれた第一のランナーおよび第二のランナーであって、該第一のランナーの少なくとも一部は中空であり、その結果、該第一のランナーは、該第一のランナーに長手軸方向に及ぶ空洞を備え、該第一のランナーは、液体に対して非浸透性でありかつ半透明および／または透明である材料を含む、第一のランナーおよび第二のランナー；
該第一のランナーの該空洞内を運ばれる液体であって、該液体は、該第一のランナーの該材料を通して電磁放射線を放出する、液体；ならびに
該第一のランナーの周囲に螺旋状に巻かれた第一の伝導性ワイヤ；
を備える、本体と、
１個または１個より多くの交流電流源であって、該１個または１個より多くの交流電流源は、該第一の伝導性ワイヤに電気的に連結されて交流を供給するように配置されている、１個または１個より多くの交流電流源と
を備える電気システムであって、該電気システムは、該交流が供給されることに応答して電磁的効果を発生させるように構成されている、電気システム。
（項目２）
上記システムは、該システムの近位で被験体に治療を提供するようにさらに構成されており、該治療は、上記放出された電磁放射線および上記発生した電磁的効果を通して提供される、上記項目に記載のシステム。
（項目３）
上記第二のランナーの少なくとも一部は中空であり、その結果、該第二のランナーは、該第二のランナーに長手軸方向に及ぶ第二の空洞を備え、該第二のランナーは、液体に対して非浸透性でありかつ半透明および／または透明である材料を含み、上記本体は、該第二のランナーの該第二の空洞内を運ばれる第二の液体をさらに備え、該第二の液体は、該第二のランナーの該材料を通して、上記第一のランナーの上記空洞内を運ばれる上記液体によって放出される上記電磁放射線に寄与する電磁放射線を放出し、該本体は、該第二のランナーの周囲に螺旋状に巻かれた第二の伝導性ワイヤをさらに備え、上記１個または１個より多くの交流電流源は、該第二の伝導性ワイヤに電気的に連結されて、上記発生する電磁的効果に寄与する第二の交流を供給するようにさらに配置されている、上記項目のいずれかに記載のシステム。
（項目４）
上記液体を上記第一のランナーの上記空洞に沿って第一の方向にポンプ送りするように構成された１個または１個より多くのポンプをさらに備える、上記項目のいずれかに記載のシステム。
（項目５）
上記液体を上記第一のランナーの上記空洞に沿って第一の方向にポンプ送りするように構成され、そして第二の液体を上記第二のランナーの第二の空洞に沿って第二の方向にポンプ送りするようにさらに構成された、１個または１個より多くのポンプをさらに備える、上記項目のいずれかに記載のシステム。
（項目６）
上記第一の方向は、上記第二の方向と類似である、上記項目のいずれかに記載のシステム。
（項目７）
上記第一の方向は、上記第二の方向と逆である、上記項目のいずれかに記載のシステム。
（項目８）
上記液体は、測定可能な量の左手系分子を含有する、上記項目のいずれかに記載のシステム。
（項目９）
上記液体は、測定可能な量の右手系分子を含有する、上記項目のいずれかに記載のシステム。
（項目１０）
上記液体は、測定可能な量の左手系分子を含有し、そして第二の液体は、測定可能な量の右手系分子を含有する、上記項目のいずれかに記載のシステム。
（項目１１）
左手系分子および上記右手系分子は、立体異性体の組から選択される、上記項目のいずれかに記載のシステム。
（項目１２）
上記液体を上記第一のランナーの上記空洞に沿って第一の方向にポンプ送りするように構成され、そして第二の液体を上記第二のランナーの第二の空洞に沿って第二の方向にポンプ送りするようにさらに構成された、１個または１個より多くのポンプをさらに備え、該第一の方向は、該第二の方向と逆である、上記項目のいずれかに記載のシステム。
（項目１３）
上記電磁的効果は電磁場を含む、上記項目のいずれかに記載のシステム。
（項目１４）
提供される治療は、光線療法を含む、上記項目のいずれかに記載のシステム。
（項目１５）
上記提供される治療は、フォトバイオモジュレーションを含む、上記項目のいずれかに記載のシステム。
（項目１６）
上記交流は、第一のキャリア信号、および１つまたは１つより多くの信号周波数を有する第一の変調信号を含み、該１つまたは１つより多くの信号周波数は、上記第一のランナーを通して放出される上記電磁放射線の１つまたは１つより多くのスペクトル特性に対応する、上記項目のいずれかに記載のシステム。
（項目１７）
上記治療は、上記被験体のエネルギーの流れと相互作用する、上記項目のいずれかに記載のシステム。
（項目１８）
本体であって、
絡み合わせられて互いに螺旋状に巻かれた第一のランナーおよび第二のランナー；
該第一のランナーの周囲に螺旋状に巻かれた管であって、該管は、液体に対して非浸透性でありかつ半透明および／または透明である材料を含む、管；ならびに
該管内を運ばれる液体であって、該液体は、該管の該材料を通して電磁放射線を放出する、液体；
を備える、本体と、
該液体を該管に沿ってポンプ送りするように構成された１個または１個より多くのポンプと
を備える、システム。
（項目１９）
上記システムは、該システムの近位で被験体に治療を提供するようにさらに構成されており、該治療は、上記放出された電磁放射線を通して提供される、上記項目のいずれかに記載のシステム。
（項目２０）
上記本体は、上記第二のランナーの周囲に螺旋状に巻かれた第二の管をさらに備え、該第二の管は、液体に対して非浸透性でありかつ半透明および／または透明である材料を含み、該本体は、該第二の管内を運ばれる第二の液体をさらに備え、該第二の液体は、該第二の管の該材料を通して、上記第一のランナーの周囲に巻かれた上記管内を運ばれる上記液体によって放出される上記電磁放射線に寄与する電磁放射線を放出し、上記１個または１個より多くのポンプは、該第二の液体を該第二の管に沿ってポンプ送りするようにさらに構成されている、上記項目のいずれかに記載のシステム。
（項目２１）
上記液体は第一の方向にポンプ送りされ、そして上記第二の液体は第二の方向にポンプ送りされる、上記項目のいずれかに記載のシステム。
（項目２２）
上記第一の方向は上記第二の方向と類似である、上記項目のいずれかに記載のシステム。
（項目２３）
上記第一の方向は上記第二の方向と逆である、上記項目のいずれかに記載のシステム。
（項目２４）
上記液体は、測定可能な量の左手系分子を含有する、上記項目のいずれかに記載のシステム。
（項目２５）
上記液体は、測定可能な量の右手系分子を含有する、上記項目のいずれかに記載のシステム。
（項目２６）
上記液体は、測定可能な量の左手系分子を含有し、そして上記第二の液体は、測定可能な量の右手系分子を含有する、上記項目のいずれかに記載のシステム。
（項目２７）
上記左手系分子および上記右手系分子は、立体異性体の組から選択される、上記項目のいずれかに記載のシステム。
（項目２８）
上記液体は、上記第二の液体と逆の方向にポンプ送りされる、上記項目のいずれかに記載のシステム。
（項目２９）
上記本体は、上記第一のランナーの周囲に螺旋状に巻かれた伝導性ワイヤ、および１個または１個より多くの交流電流源をさらに備え、該１個または１個より多くの交流電流源は、該伝導性ワイヤに電気的に連結されて、該伝導性ワイヤを通して交流を供給するように構成されており、上記システムは、該交流が供給されることに応答して、電磁的効果を発生させるように構成されており、そして該電磁的効果は電磁場を含む、上記項目のいずれかに記載のシステム。
（項目３０）
提供される治療は、光線療法を含む、上記項目のいずれかに記載のシステム。
（項目３１）
上記提供される治療は、フォトバイオモジュレーションを含む、上記項目のいずれかに記載のシステム。
（項目３２）
上記治療は、上記被験体のエネルギーの流れと相互作用する、上記項目のいずれかに記載のシステム。
（項目３３）
本体であって、
絡み合わせられて螺旋状に巻かれた第一のランナーおよび第二のランナーであって、該第一のランナーは中空であり、その結果、該第一のランナーは、該第一のランナーに長手軸方向に及ぶ第一の空洞を備え、該第二のランナーは中空であり、その結果、該第二のランナーは、該第二のランナーに長手軸方向に及ぶ第二の空洞を備え、該第一のランナーおよび該第二のランナーは、液体に対して非浸透性でありかつ半透明および／または透明である材料を含む、第一のランナーおよび第二のランナー；
該第一のランナーの該第一の空洞内を運ばれる第一の液体であって、該第一の液体は、該第一のランナーを通して第一の型の電磁放射線を放出する、第一の液体；
該第二のランナーの該第二の空洞内を運ばれる第二の液体であって、該第二の液体は、該第二のランナーを通して第二の型の電磁放射線を放出する、第二の液体；
該第一のランナーの周囲に螺旋状に巻かれた第一の管であって、該管は、液体に対して非浸透性でありかつ半透明および／または透明である材料を含む、第一の管；
該第二のランナーの周囲に螺旋状に巻かれた第二の管であって、該第二の管は、液体に対して非浸透性でありかつ半透明および／または透明である材料を含む、第二の管；
該第一の管内を運ばれる第三の液体であって、該第三の液体は、該第一の管を通して第三の型の電磁放射線を放出する、第三の液体；ならびに
該第二の管内を運ばれる第四の液体であって、該第四の液体は、該第二の管を通して第四の型の電磁放射線を放出する、第四の液体；
を備える、本体
を備えるシステムであって、該システムは、該システムの近位で被験体に治療を提供するようにさらに構成されており、該治療は、放出される該第一の型の電磁放射線、該第二の型の電磁放射線、該第三の型の電磁放射線、および該第四の型の電磁放射線を通して提供される、システム。
（項目３４）
上記第一の液体、上記第二の液体、上記第三の液体、および／または上記第四の液体のうちの１つまたは１つより多くを、それぞれ上記第一の空洞、上記第二の空洞、上記第一の管、および／または上記第二の管に沿ってポンプ送りするように構成された、１個または１個より多くのポンプをさらに備える、上記項目のいずれかに記載のシステム。
（項目３５）
上記第一の液体は第一の方向にポンプ送りされ、上記第二の液体は第二の方向にポンプ送りされ、上記第三の液体は第三の方向にポンプ送りされ、そして上記第四の液体は第四の方向にポンプ送りされる、上記項目のいずれかに記載のシステム。
（項目３６）
上記第一の方向および上記第三の方向は、上記第二の方向および上記第四の方向と逆である、上記項目のいずれかに記載のシステム。
（項目３７）
上記第一の液体は、測定可能な量の左手系分子を含有する、上記項目のいずれかに記載のシステム。
（項目３８）
上記第一の液体は、測定可能な量の右手系分子を含有する、上記項目のいずれかに記載のシステム。
（項目３９）
上記第一の液体は、測定可能な量の左手系分子を含有する、上記項目のいずれかに記載のシステム。
（項目４０）
上記第一の液体は、測定可能な量の右手系分子を含有する、上記項目のいずれかに記載のシステム。
（項目４１）
上記第一の液体および上記第三の液体は、測定可能な量の左手系分子を含有し、そして上記第二の液体および上記第四の液体は、測定可能な量の右手系分子を含有する、上記項目のいずれかに記載のシステム。
（項目４２）
上記左手系分子および上記右手系分子は、立体異性体の組から選択される、上記項目のいずれかに記載のシステム。
（項目４３）
電磁的効果は電磁場を含む、上記項目のいずれかに記載のシステム。
（項目４４）
提供される治療は、光線療法を含む、上記項目のいずれかに記載のシステム。
（項目４５）
上記提供される治療は、フォトバイオモジュレーションを含む、上記項目のいずれかに記載のシステム。
（項目４６）
上記治療は、上記被験体のエネルギーの流れと相互作用する、上記項目のいずれかに記載のシステム。
（項目４７）
コンピュータ読み取り可能な命令によって、
１個または１個より多くのデジタルオーディオファイルを含む情報を得；
該得られた情報を処理し、そして該得られた情報に基づいて、処理された信号を発生させ、そして
該処理された信号に基づいて音響信号を生成し、ここで上記交流は、該生成された音響信号に対応するように動的に制御され、その結果、該交流の１つまたは１つより多くの周波数は、該生成された音響信号の１つまたは１つより多くの周波数に対応する
ように構成された１個または１個より多くの物理プロセッサをさらに備える、上記項目のいずれかに記載の電気システム。
（項目４８）
上記交流は、上記放出された電磁放射線の１つまたは１つより多くの周波数が上記生成された音響信号の１つまたは１つより多くの周波数に対応するように動的に制御される、上記項目のいずれかに記載の電気システム。
（項目４９）
電磁的効果を被験体に提供する方法であって、
電気システムを該被験体上またはその近傍に配置する工程であって、該電気システムは、本体を備え、該本体は、第一のランナーおよび第二のランナーを備え、該第一のランナーと該第二のランナーとは、互いに螺旋状に絡み合わせられており、該本体は、重心を有する環形状に配置され、第一の伝導性ワイヤは、該第一のランナーの周囲に巻かれ、該第一のランナーの少なくとも一部は中空であり、その結果、該第一のランナーは、該第一のランナーに長手軸方向に及ぶ空洞を備え、該第一のランナーは、液体に対して非浸透性でありかつ半透明および／または透明である材料を含む、工程；
該第一の伝導性ワイヤを通して交流を誘導する工程であって、その結果、該交流は、電磁的効果を該第一の重心またはその近傍にもたらす、工程；
該第一のランナーの該空洞内に液体をポンプ送りする工程であって、該液体は、該第一のランナーの該材料を通して電磁放射線を放出する、工程
を包含する、方法。
（項目５０）
上記電磁的効果は、被験体に治療を提供し、上記放出された電磁放射線は、該治療に寄与する、上記項目に記載の方法。
（項目５１）
上記第二のランナーの少なくとも一部は中空であり、その結果、該第二のランナーは、該第二のランナーに長手軸方向に及ぶ第二の空洞を備え、該第二のランナーは、液体に対して非浸透性でありかつ半透明および／または透明である材料を含み、上記方法は、
液体を該第二のランナーの該空洞内にポンプ送りする工程であって、該液体は、該第二のランナーの該材料を通して電磁放射線を放出し、該放出された電磁放射線は、上記治療に寄与する、工程
をさらに包含する、上記項目のいずれかに記載の方法。
（項目５２）
上記第一のランナーの上記空洞内の上記液体は、第一の方向に移動し、上記第二のランナーの上記空洞内の上記液体は、第二の方向に移動する、上記項目のいずれかに記載の方法。
（項目５３）
上記第一の方向は上記第二の方向と類似である、上記項目のいずれかに記載の方法。
（項目５４）
上記第一の方向は上記第二の方向と逆である、上記項目のいずれかに記載の方法。
（項目５５）
上記液体は、測定可能な量の左手系分子を含有する、上記項目のいずれかに記載の方法。
（項目５６）
上記液体は、測定可能な量の右手系分子を含有する、上記項目のいずれかに記載の方法。
（項目５７）
上記第一のランナーの上記空洞内の上記液体は、測定可能な量の左手系分子を含有し、そして上記第二のランナーの上記空洞内の上記液体は、測定可能な量の右手系分子を含有する、上記項目のいずれかに記載の方法。
（項目５８）
上記左手系分子および上記右手系分子は、立体異性体の組から選択される、上記項目のいずれかに記載の方法。
（項目５９）
上記電磁的効果は電磁場を含む、上記項目のいずれかに記載の方法。
（項目６０）
提供される治療は、光線療法を含む、上記項目のいずれかに記載の方法。
（項目６１）
上記提供される治療は、フォトバイオモジュレーションを含む、上記項目のいずれかに記載の方法。
（項目６２）
上記治療は、上記被験体のエネルギーの流れと相互作用する、上記項目のいずれかに記載の方法。
（項目６３）
電磁的効果を使用することによって、被験体に治療を提供する方法であって、該方法は、
システムを該被験体上またはその近傍に配置する工程であって、該システムは、本体を備え、該本体は、第一のランナーおよび第二のランナーを備え、該第一のランナーと該第二のランナーとは、互いに螺旋状に絡み合わせられており、該本体は、重心を有する環形状に配置され、該本体は、該第一のランナーの周囲に螺旋状に巻かれた管をさらに備え、該管は、液体に対して非浸透性でありかつ半透明および／または透明である材料を含む、工程；
該第一のランナーの周囲に巻かれた該管内に液体をポンプ送りする工程であって、該液体は、該管の該材料を通して電磁放射線を放出し、該放出された電磁放射線は、該被験体に治療を提供する、工程
を包含する、方法。
（項目６４）
上記本体は、上記第二のランナーの周囲に螺旋状に巻かれた第二の管をさらに備え、該第二の管は、液体に対して非浸透性でありかつ半透明および／または透明である材料を含み、上記方法は、
該第二のランナーの周囲に巻かれた該管内に液体をポンプ送りする工程であって、該液体は、該第二の管の該材料を通して電磁放射線を放出し、該放出された電磁放射線は、上記治療に寄与する、工程
をさらに包含する、上記項目のいずれかに記載の方法。
（項目６５）
上記第一のランナーの上記空洞内の上記液体は、第一の方向に移動し、上記第二のランナーの上記空洞内の上記液体は、第二の方向に移動する、上記項目のいずれかに記載の方法。
（項目６６）
上記第一の方向は上記第二の方向と類似である、上記項目のいずれかに記載の方法。
（項目６７）
上記第一の方向は上記第二の方向と逆である、上記項目のいずれかに記載の方法。
（項目６８）
上記液体は、測定可能な量の左手系分子を含有する、上記項目のいずれかに記載の方法。
（項目６９）
上記液体は、測定可能な量の右手系分子を含有する、上記項目のいずれかに記載の方法。
（項目７０）
上記第一のランナーの周囲に巻かれた上記管内の上記液体は、測定可能な量の左手系分子を含有し、そして上記第二のランナーの周囲に巻かれた上記第二の管内の上記液体は、測定可能な量の右手系分子を含有する、上記項目のいずれかに記載の方法。
（項目７１）
上記左手系分子および上記右手系分子は、立体異性体の組から選択される、上記項目のいずれかに記載の方法。
（項目７２）
提供される治療は、光線療法を含む、上記項目のいずれかに記載の方法。
（項目７３）
上記提供される治療は、フォトバイオモジュレーションを含む、上記項目のいずれかに記載の方法。
（項目７４）
上記治療は、上記被験体のエネルギーの流れと相互作用する、上記項目のいずれかに記載の方法。
【０００４】
摘要
二重螺旋と類似の基礎構造を有する１個または１個より多くの本体を備える電気システムが、種々の用途（治療が挙げられる）のための有用な電磁的効果を生成するために使用され得る。
【０００５】
要旨
本発明の１つの局面は、１個または１個より多くの本体、１個または１個より多くの電流源、１個または１個より多くのポンプ、１本または１本より多くの管、および／あるいは１本または１本より多くの伝導性ワイヤを備えるシステムに関する。個々の本体は、絡み合わせられて螺旋状に巻かれた２本のランナーを備え得る。第一のランナーは、支柱によって第二のランナーに連結され得る。個々のランナーは、螺旋形状を有し得る。個々の本体は、環形状に配置され得る。１本または１本より多くの伝導性ワイヤおよび／または管は、少なくとも１本のランナーの周囲に螺旋状に巻かれ得る。１本または１本より多くの伝導性ワイヤおよび／または管は、液体に対して非浸透性である材料を含み得る。１本または１本より多くの伝導性ワイヤおよび／または管は、半透明および／または透明である材料を含み得る。１本または１本より多くの伝導性ワイヤおよび／または管は、電磁放射線を放出する液体を運ぶように構成され得る。
【０００６】
本開示のこれらおよび他の目的、特徴、ならびに特性と、構造の関連構成要素および部分の組み合わせの動作の方法ならびに機能と、製造の経済性とは、付随の図面を参照して、以下の説明および添付の特許請求の範囲を検討することによって、より明白となり、その図面は、本明細書の一部を形成し、同様の参照番号が、種々の図中の対応する部分を指定する。しかしながら、図面は、例証および説明の目的にすぎず、任意の限定の定義として意図されないことを明示的に理解されたい。本明細書および特許請求の範囲において使用される場合、単数形「ａ」、「ａｎ」、および「ｔｈｅ」は、文脈によって明確に別様に示されない限り、複数の指示対象を含む。
【図面の簡単な説明】
【０００７】
【図１】図１は、支柱によって連結された、絡み合わせられて螺旋状に巻かれた２本のランナーを備える、例示的な本体の側面図を図示する。
【図２】図２は、支柱によって連結された、絡み合わせられて螺旋状に巻かれた２本のランナーを備える、例示的な本体の等角図を図示する。
【図３】図３は、同じ円形軸を共有し、両方のランナーが支柱によって連結されている、絡み合わせられて螺旋状に巻かれた２本のランナーを備える例示的な本体の上面図を図示する。
【図４】図４は、同じ円形軸を共有し、両方のランナーが支柱によって連結されている、絡み合わせられて螺旋状に巻かれた２本のランナーを備える例示的な本体の等角図を図示する。
【図５】図５は、同じ円形軸を共有し、ワイヤガイドを有し、両方のランナーが支柱によって連結されている、絡み合わせられて螺旋状に巻かれた２本のランナーを備える例示的な本体の上面図を図示する。
【図６】図６は、同じ円形軸を共有し、ワイヤガイドを有し、両方のランナーが支柱によって連結されている、絡み合わせられて螺旋状に巻かれた２本のランナーを備える例示的な本体の等角図を図示する。
【図７】図７は、同じ楕円形軸を共有し、両方のランナーが支柱によって連結されている、絡み合わせられて螺旋状に巻かれた２本のランナーを備える例示的な本体を図示する。
【図８】図８は、同じ円形軸を共有し、両方のランナーが支柱によって連結されており、周囲に伝導性ワイヤが螺旋状に巻かれている、絡み合わせられて螺旋状に巻かれた２本のランナーを備える例示的な本体の上面図を図示する。
【図９】図９は、同じ円形軸を共有し、両方のランナーが支柱によって連結されており、そしてワイヤが本体の両方のランナーの周囲に螺旋状に巻かれている、絡み合わせられて螺旋状に巻かれた２本のランナーを備える例示的な本体の上面図を図示する。
【図１０】図１０は、１個または１個より多くのポンプと本体とを組み合わせる例示的なシステムの上面図を図示する。
【図１１】図１１は、１個または１個より多くのポンプと本体とを組み合わせる例示的なシステムの上面図を図示する。
【図１２】図１２は、１つ以上の実施形態による、被験体に治療を提供するためのシステムを概略的に図示する。
【図１３】図１３Ａおよび図１３Ｂは、１つ以上の実施形態による、被験体に治療を提供する方法を図示する。
【図１４】図１４Ａおよび図１４Ｂは、１つ以上の実施形態による、ワイヤをランナーの周囲に配線するための配線図を図示する。
【発明を実施するための形態】
【０００８】
詳細な説明
図１は、例示的な本体１５の側面図を図示する。本体１５は、２本または２本より多くの絡み合わせられて螺旋状に巻かれたランナー（ランナー１６およびランナー１７）を備え得る。ランナー１６とランナー１７とは、支柱１８によって連結され得る。本体１５は、本体１５の反対側に位置する、２つの端部（端部２０および端部２１）を備える。ランナー１６および／または１７は、螺旋と類似であるか、または螺旋と実質的に同じである、三次元曲線の形状に配置され得る。螺旋は、その曲線に沿った任意の点における接線が、軸と呼ばれる（固定された）線に対して一定の角度を有するという事実によって特徴付けられ得る。螺旋のピッチは、１回の３６０度の螺旋巻き（すなわち、回転）の幅（例えば、この螺旋の軸に対して平行に測定される）であり得る。絡み合わせられて螺旋状に巻かれたランナーは、同じ軸を共有し得、合同であり得、そして／またはこの軸に沿った並進が異なり得る（例えば、ピッチの半分であり得る）。図１に示される２本のランナーは、同じ軸２２を共有し得、約３回の完全な回転だけ水平に延びる。従って、本体１５の長さは、軸２２に沿って端部２０から端部２１まで測定される場合、ピッチ２３の長さの約３倍であり得る。螺旋形状は、一定のピッチ、一定の半径（この軸に対して垂直な面内で測定される）、一定のねじれ、一定の曲率、曲率対ねじれの一定の比、および／または直線状の軸を有し得る。図１において、本体１５の半径は、直径２４の半分であり得る。本体１５の形状は、デオキシリボ核酸（ＤＮＡ）の一般的な形状と類似であることが留意される。
【０００９】
非限定的な例として、本体１５のさらなる構造および／または特徴は、米国特許第８，６５３，９２５号（発明の名称「Ｄｏｕｂｌｅ  Ｈｅｌｉｘ  Ｃｏｎｄｕｃｔｏｒ」、２０１４年２月１８日発行、これは、その全体が本開示に参考として援用される）に記載されているかもしれない。この特許はまた、本明細書中で「９２５号特許」と称され得る。
【００１０】
図１において、ランナー１６およびランナー１７の断面の形状は、幅が高さより約３倍大きい矩形であり得る。さらに、ランナー１６またはランナー１７の幅は、本体１５のそのランナーのピッチの約１／１３であり得る。その結果、本体１５のランナー１７は、内側表面２５（螺旋形状の軸２２に面する）と外側表面２６（内側表面２５の逆方向に面する）とを有するリボンに類似である。本体１５のランナー１６は、内側表面２７（螺旋形状の軸２２に面する）と外側表面２８（内側表面２７の逆方向に面する）とを有するリボンに類似である。本開示の実施形態は、与えられる例のいずれによっても限定されることを意図されないことに留意のこと。
【００１１】
ランナー１６、ランナー１７および／または支柱１８は、プラスチック、金属（銅、ニッケル、鉄、軟鉄、ニッケル合金、ならびに／または他の金属および合金が挙げられる）でめっきされたプラスチック、ならびに／あるいは他の材料のうちの１つまたは１つより多くから製造され得る。いくつかの実施形態において、ランナー１６、ランナー１７および支柱１８は、非伝導性材料から製造され得る。ランナー１６、ランナー１７、および／または支柱１８は、異なる材料から製造され得る。
【００１２】
いくつかの実施形態において、ランナー１６、ランナー１７および支柱１８は、液体に対して非浸透性である材料を含み得る。いくつかの実施形態において、ランナー１６、ランナー１７および支柱１８は、半透明および／または透明である材料を含み得る。
【００１３】
ランナー１６、ランナー１７、および／または支柱１８は、一体的な構築物によって製造され得るか、または別々に形成された後に組み立てられ得る。いくつかの実施形態において、ランナー１６、ランナー１７、および／または支柱１８は、磁気を通す材料を含み得る。いくつかの実施形態において、ランナー１６、ランナー１７、および／または支柱１８は、強磁性ではないが伝導性である材料を含み得る。
【００１４】
いくつかの実施形態において、ランナー１６および／または１７は、少なくとも部分的に中空であり得る。いくつかの実施形態において、ランナー１６および／または１７は、これらのランナーに長手軸方向に及ぶ１個または１個より多くの空洞を備え得る。いくつかの実施形態において、ランナー１６および／または１７は、流体が一方または両方のランナーを通って流れ得るように構成され得る。
【００１５】
図２は、支柱１８によって連結された、絡み合わせられて螺旋状に巻かれた２本のランナー（ランナー１６およびランナー１７）を備える例示的な本体１５の等角図を図示する。ここで本体１５は、両方の螺旋状に巻かれたランナーの軸２２が垂直に延びた状態で示されている。
【００１６】
図３は、同じ円形軸４２を共有し、両方のランナーが支柱３８によって連結されている、絡み合わせられて螺旋状に巻かれた２本のランナー（ランナー３６およびランナー３７）を備える例示的な本体３５の上面図を図示する。本体３５の得られる形状は、環と称され得る。本体３５は、本体１５と同じようにかまたは類似に形成され得るが、より多くの回転を含み、この本体を平坦な円の形状に配置し、そして両端（図１の端部２０および端部２１）を一緒に接合することによって、形成される。先の記載は、本体３５と類似であるかまたは実質的に同じである本体の製造（のプロセス）を、いかなる方法でも限定することを意図されない。
【００１７】
図３を参照すると、本体３５の円形軸の直径４４、および円形軸４２全体に沿って完全に延びるために必要とされる、１本のランナーあたりの完全な回転の数は、本体３５の特徴的な数／特性であり得る。例えば、図３に示されるように、本体３５のランナー３６およびランナー３７は、本体３５の円形軸４２の全体に沿って完全に延びるために、円形軸４２の周りで約８回の完全な回転、または他の何回かの回転を必要とし得る。
【００１８】
図３の本体３５の１本または１本より多くの支柱３８は、中心支柱要素３９を備えることに留意のこと。この中心支柱要素は、本体１５の支柱１８にはない。中心支柱要素３９は、本体３５の特定の支柱に関連し得る。
【００１９】
いくつかの実施形態において、図３に図示されるようなランナー３６および３７は、図１および図２のランナー１６および１７が有する１つ以上の特徴を共有し得る。例えば、図３のランナー３６および３７は、半透明および／または透明である材料を含み得る。いくつかの実施形態において、ランナー３６および／または３７は、少なくとも部分的に中空であり得る。いくつかの実施形態において、ランナー３６および／または３７は、これらのランナーに長手軸方向に及ぶ１個または１個より多くの空洞を備え得る。いくつかの実施形態において、ランナー３６および／または３７は、流体が一方または両方のランナーを通って流れ得るように構成され得る。
【００２０】
図４は、同じ円形軸を共有し、両方のランナーが支柱３８によって連結されている、絡み合わせられて螺旋状に巻かれた２本のランナー（ランナー３６およびランナー３７）を備える例示的な本体３５の等角図を図示する。図３においてと同様に、図４の本体３５の支柱は、本体１５の支柱１８にはなくてもよい中心支柱要素３９を備え得ることに留意のこと。
【００２１】
図５は、同じ円形軸６２を共有し、そしてワイヤガイド５６を有し、両方のランナーが支柱５９によって連結されている、絡み合わせられて螺旋状に巻かれた２本のランナー（ランナー５７およびランナー５８）を備える例示的な本体５５の上面図を図示する。ランナー５７またはランナー５８の任意の部分が、ワイヤガイド５６を備え得る。ワイヤガイド５６は、ランナー５７またはランナー５８の表面ならびに／あるいは内部に配置された、溝、切欠き、突出物、スロット、および／または他の構造要素を備え得、そしてランナー５７またはランナー５８の表面の少なくとも一部分に沿って、ワイヤまたは管を案内するように構成され得る。
【００２２】
このようなワイヤ（本文書に含まれる任意の図に列挙される任意のワイヤとして）は、絶縁されても、絶縁されなくても、部分的に絶縁されて部分的に絶縁されなくてもよい。本明細書中で使用される場合、「ワイヤ」は、捩られたワイヤのセット（交換可能に「捩られたワイヤ」と称される）を含み得、２本の捩られたワイヤのセットが挙げられるが、これに限定されない。１インチあたり、および／またはランナーの１回の螺旋回転あたりの、捩られたワイヤのセットの巻きの数は、このシステムの特徴的な数／特性であり得る。いくつかの実施形態において、捩られたワイヤ１インチあたりの捩りの数は、約２、約５、約１０、約２０、約１００、および／または別の適切な捩り数であり得る。いくつかの実施形態において、交流および／または対応する発生する電磁場の周波数特性は、捩られたワイヤの捩りの数に基づき得、比例し得、そして／または他の態様で関連し得る。例えば、１インチあたりの捩りの数が大きいことは、交流ならびに／あるいは対応する発生する電磁場のより高い動作周波数に対応し得る。いくつかの実施形態において、複数の捩られたワイヤ（例えば、第一のランナーの周囲に巻かれた第一の捩られたワイヤ、および第二のランナーの周囲に巻かれた第二の捩られたワイヤ）は、同じ捩り方向および／または異なる捩り方向を有し得る。いくつかの実施形態において、複数のワイヤ（例えば、捩られたワイヤ）は、同じランナーの周囲に巻かれ得る。いくつかの実施形態において、１本のワイヤは、１本または１本より多くの支柱のうちのいくつかまたは全ての周りに巻かれ得る。
【００２３】
いくつかの実施形態において、１本または１本より多くの管（図５には図示しない）は、ワイヤガイド５６によって、ランナー５７および／またはランナー５８の周囲で案内され得る。
【００２４】
図６は、同じ円形軸を共有し、ワイヤガイド５６を有し、両方のランナーが支柱５９によって連結されている、絡み合わせられて螺旋状に巻かれた２本のランナー（ランナー５７およびランナー５８）を備える例示的な本体５５の等角図を図示する。
【００２５】
図７は、同じ楕円形軸７８を共有し、両方のランナーが支柱７９によって連結されている、絡み合わせられて螺旋状に巻かれた２本のランナー（ランナー７６およびランナー７７）を備える例示的な本体７５を図示する。同じ軸を共有する２本（または２本より多く）の絡み合わせられて螺旋状に巻かれたランナーを備える本体は、任意の平面形状（円形、楕円形、三角形、正方形、矩形、角度のある形状、多角形、および／または他の平面形状）に配置され得る。代替的に、かつ／または同時に、このような本体は、三次元曲線（すなわち、空間曲線）に配置され得る。図７において、本体７５は、本体１５と類似であるがより多くの回転を有する本体から、この本体を平坦な楕円形状に配置し、そして両端（図１の端部２０および端部２１）を一緒に接合することによって、形成され得る。先の記載は、本体７５と類似であるかまたは実質的に同じである本体の製造（のプロセス）を、いかなる方法でも限定することを意図されない。
【００２６】
いくつかの実施形態において、図７に記載されるようなランナー７６および７７は、図１および図２のランナー１６および１７、ならびに／または図３および図４のランナー３６および３７が有する１つ以上の特徴を共有し得る。例えば、図７のランナー７６および７７は、半透明および／または透明である材料を含み得る。いくつかの実施形態において、ランナー７６および／または７７は、少なくとも部分的に中空であり得る。いくつかの実施形態において、ランナー７６および／または７７は、これらのランナーに長手軸方向に及ぶ１個または１個より多くの空洞を備え得る。いくつかの実施形態において、ランナー７６および／または７７は、流体が一方または両方のランナーを通って流れ得るように構成され得る。
【００２７】
図８は、同じ円形軸を共有し、支柱９０によって連結され、そして周囲にワイヤ（ワイヤ８６およびワイヤ８７）が螺旋状に巻かれている、絡み合わせられて螺旋状に巻かれた２本のランナー（ランナー８８およびランナー８９）を備える例示的な本体８５の上面図を図示する。いくつかの実施形態において、ワイヤ８６および／またはワイヤ８７は、伝導性ワイヤであり得る。いくつかの実施形態において、ワイヤ８６および／またはワイヤ８７は、管であり得る。ワイヤ８６および／またはワイヤ８７（本文書に含まれる任意の図に列挙される任意のワイヤとして）は、絶縁されても、絶縁されなくても、部分的に絶縁されて部分的に絶縁されなくてもよい。ワイヤ８６および／またはワイヤ８７（本文書に含まれる任意の図に列挙される任意のワイヤとして）は、捩られたワイヤであり得る。本体８５のランナー８８は、ワイヤ８７が周囲に螺旋状に巻かれるコアを形成し得、本体８５のランナー８９は、ワイヤ８６が周囲に螺旋状に巻かれるコアを形成し得る。従って、ワイヤ８６は、ランナー８９と一致する軸を有する螺旋形状に配置され得、ワイヤ８７は、ランナー８８と一致する軸を有する螺旋形状に配置され得る。
【００２８】
いくつかの実施形態において、図８に図示されるようなランナー８８および８９は、図１および図２のランナー１６および１７、ならびに／または図３および図４のランナー３６および３７、ならびに／または図７のランナー７６および７７が有する１つ以上の特徴を共有し得る。例えば、図８のランナー８８および８９は、半透明および／または透明である材料を含み得る。いくつかの実施形態において、ランナー８８および／または８９は、少なくとも部分的に中空であり得る。いくつかの実施形態において、ランナー８８および／または８９は、これらのランナーに長手軸方向に及ぶ１個または１個より多くの空洞を備え得る。いくつかの実施形態において、ランナー８８および／または８９は、流体が一方または両方のランナーを通って流れ得るように構成され得る。
【００２９】
ワイヤ８６は、２本のリード線（リード線８６ａおよびリード線８６ｂ）を備え得る。ワイヤ８７は、２本のリード線（リード線８７ａおよびリード線８７ｂ）を備え得る。ワイヤ８６およびワイヤ８７は、伝導性であり得る。本体８５と類似であるかまたは同じである、１個または１個より多くの本体が、ワイヤ８６およびワイヤ８７のうちの一方または両方との電気的連結が（例えば、ワイヤ８６のリード線８６ａおよび８６ｂとの連結を介して、ならびにワイヤ８７のリード線８７ａおよび８７ｂとの連結を通して）確立され得るように配置された１個または１個より多くの電源および／または電流源を有する電気システムにおいて使用され得る。ワイヤ８６に供給される電流は、直流であっても交流であってもよい。ワイヤ８７に供給される電流は、直流であっても交流であってもよい。ワイヤ８６およびワイヤ８７に供給される電流は、同じ方向に流れても逆方向に流れてもよい。交流については、０Ｈｚから４０ＧＨｚの範囲の動作周波数が想定される。ワイヤ８６およびワイヤ８７についての動作周波数は、同じであっても異なっていてもよい。ワイヤ８６およびワイヤ８７に供給される電流の他の電気的動作特徴（例えば、位相、振幅、電力レベル、および／または他の作動特徴）は、同じであっても異なっていてもよい。この電気システムは、本体８５と類似であるかまたは同じである１個または１個より多くの本体の１本または１本より多くのワイヤに電力が供給される場合にもたらされる電磁場を利用するために使用され得る。
【００３０】
図９は、同じ円形軸を共有し、両方のランナーが支柱によって連結されており、そして本体９５の両方のランナーの周囲に螺旋状に巻かれたワイヤ９６を有する、絡み合わせられて螺旋状に巻かれた２本のランナー（ランナー９７およびランナー９８）を備える例示的な本体９５の上面図を図示する。ワイヤ９６は、２本のリード線（リード線９６ａおよびリード線９６ｂ）を備え得る。ワイヤ９６を有する本体９５の得られる形状は、螺旋体の形状と称され得る。本体９５と類似であるかまたは同じである１個または１個より多くの本体は、ワイヤ９６との電気的連結が（例えば、リード線９６ａおよび９６ｂを介して）確立され得るように配置された電源および／または電流源を有する電気システムにおいて使用され得る。ワイヤ９６に供給される電力は、直流を含んでも交流を含んでもよい。ワイヤ９６を通って流れる交流の動作周波数は、０Ｈｚから４０ＧＨｚの範囲であることが想定される。この電気システムは、電力が供給される場合にもたらされる電磁場を利用するために使用され得る。
【００３１】
いくつかの実施形態において、図９に図示されるようなランナー９７および９８は、図１および図２のランナー１６および１７、ならびに／または図３および図４のランナー３６および３７、ならびに／または図７のランナー７６および７７、ならびに／または図８のランナー８８および８９が有する１つ以上の特徴を共有し得る。例えば、図９のランナー９７および９８は、半透明および／または透明である材料を含み得る。いくつかの実施形態において、ランナー９７および／または９８は、少なくとも部分的に中空であり得る。いくつかの実施形態において、ランナー９７および／または９８は、これらのランナーに長手軸方向に及ぶ１個または１個より多くの空洞を備え得る。いくつかの実施形態において、ランナー９７および／または９８は、流体が一方または両方のランナーを通って流れ得るように構成され得る。
【００３２】
図１０は、本体１０１０を、１個または１個より多くのポンプ、１個または１個より多くのタンク、および／あるいは他の構成要素と組み合わせる、例示的なシステム１０００の上面図を図示する。本体１０１０は、図３に図示される様式と類似の様式で円形軸を共有する、絡み合わせられて螺旋状に巻かれた２本のランナー（ランナー１０５およびランナー１０７）を備える。図１０のランナー１０５および１０７は、半透明および／または透明である材料を含み得る。いくつかの実施形態において、ランナー１０５および／または１０７は、少なくとも部分的に中空であり得る。いくつかの実施形態において、ランナー１０５および／または１０７は、これらのランナーに長手軸方向に及ぶ１個または１個より多くの空洞を備え得る。いくつかの実施形態において、ランナー１０５および／または１０７は、流体が一方または両方のランナーを通って流れ得るように構成され得る。
【００３３】
タンク１００３およびタンク１００４は、液体を保持するように構成され得る。タンク１００３は、ポンプ１００１に動作可能に連結され得る。タンク１００４は、ポンプ１００２に動作可能に連結され得る。ポンプ１００１は、ランナー１０５に動作可能に連結され得る。ポンプ１００２は、ランナー１０７に動作可能に連結され得る。いくつかの実施形態において、ポンプ１００１およびポンプ１００２のうちの１個または１個より多くは、液体をランナー１０５および／またはランナー１０７に沿って、例えば、ランナー１０５および／またはランナー１０７内の空洞を通して、ポンプ送りするように構成され得る。いくつかの実施形態において、ポンプ１００１およびポンプ１００２のうちの１個または１個より多くは、液体をランナー１０５および／またはランナー１０７に沿って、特定の方向にポンプ送りするように構成され得る。いくつかの実施形態において、液体は、ランナー１０５内で、ランナー１０７と比較して異なる方向にポンプ送りされ得る。いくつかの実施形態において、１個のポンプが、ランナー１０５およびランナー１０７を通して液体をポンプ送りするように構成され得る。いくつかの実施形態において、１個のタンクが、ランナー１０５およびランナー１０７を通してポンプ送りするために使用される液体を保持するように構成され得る。
【００３４】
ポンプ１００１および／またはポンプ１００２によってポンプ送りされる液体は、電磁放射線を放出し得る。例えば、ランナー１０５を通してポンプ送りされる液体は、ランナー１０５に含まれる半透明および／または透明な材料を通して、電磁放射線を放出し得る。特定の波長を使用することによって、放出される電磁放射線は、特定の生物学的効果をもたらし得る。この生物物理的原理は、フォトバイオモジュレーションと称され得る。いくつかの実施形態において、ポンプ１００１および／またはポンプ１００２によってポンプ送りされる液体は、被験体のエネルギーの流れと相互作用し得る。いくつかの実施形態において、ポンプ１００１および／またはポンプ１００２によってポンプ送りされる液体は、測定可能な量および／または濃度の左手系分子を含有し得る。いくつかの実施形態において、ポンプ１００１および／またはポンプ１００２によってポンプ送りされる液体は、測定可能な量および／または濃度の右手系分子を含有し得る。いくつかの実施形態において、左手系分子および／または右手系分子は、立体異性体を含み得る。いくつかの実施形態において、左手系分子および／または右手系分子は、立体異性体および／または他の化合物の組から選択され得る。立体異性体および化合物の組は、Ｌ−アラニン、Ｌ−アルギニン、Ｌ−アスパラギン、Ｌ−アスパラギン酸、Ｌ−カルニチン、アセチル−Ｌ−カルニチン、Ｌ−カルニチンＬ−酒石酸塩、Ｌ−カルニチンクエン酸マグネシウム塩、Ｌ−シトルリン、Ｌ−システイン、Ｌ−シスチン、Ｌ−ＧＡＢＡ、Ｌ−グルタミン酸、Ｌ−グルタミン、グルタチオンペルオキシダーゼ、Ｌ−グリシン、Ｌ−ヒスチジン、ヒドロキシグルタミン酸、ヒドロキシプロリン、Ｌ−イソロイシン、Ｌ−ロイシン、ノルロイシン、Ｌ−リジン、Ｌ−メチオニン、Ｌ−オルニチン、Ｌ−バリン、Ｌ−フェニルアラニン、Ｌ−プロリン、Ｌ−セリン、Ｌ−タウリン、Ｌ−トレオニン、Ｌ−トリプトファン、Ｌ−チロシン、Ｄ−アラニン、Ｄ−アルギニン、Ｄ−アスパラギン、Ｄ−アスパラギン酸、Ｄ−カルニチン、アセチル−Ｄ−カルニチン、Ｄ−カルニチンＤ−酒石酸塩、Ｄ−カルニチンクエン酸マグネシウム塩、Ｄ−シトルリン、Ｄ−システイン、Ｄ−シスチン、Ｄ−ＧＡＢＡ、Ｄ−グルタミン酸、Ｄ−グルタミン、Ｄ−グルタチオンペルオキシダーゼ、Ｄ−グリシン、Ｄ−ヒスチジン、Ｄ−ヒドロキシグルタミン酸、Ｄ−ヒドロキシプロリン、Ｄ−イソロイシン、Ｄ−ロイシン、Ｄ−ノルロイシン、Ｄ−リジン、Ｄ−メチオニン、Ｄ−オルニチン、Ｄ−バリン、Ｄ−フェニルアラニン、Ｄ−プロリン、Ｄ−セリン、Ｄ−タウリン、Ｄ−トレオニン、Ｄ−トリプトファン、Ｄ−チロシン、デキストリン、デキストロース、フルクトース、ガラクトース、グルコース、グリコゲン、イノシトール、転化糖、ラクトース、レブロース、マルトース、糖蜜、スクロース、キシロース、高フルクトースコーンシロップ、ハチミツ、糖蜜、および／またはショ糖（ｓｕｇａｒ  ｃａｎｅ）のうちの１つまたは１つより多くを含み得る。
【００３５】
これらの立体異性体および化合物を人体に近接させることにより、望ましい生物学的効果がもたらされ得る。発生する電磁的効果（例えば、本開示に記載されるように発生する電磁場）、放出される電磁放射線、および／または近接によりもたらされる生物学的効果（本開示に記載されるような）の任意の組み合わせが、被験体に治療を提供するために使用され得る。
【００３６】
いくつかの実施形態において、本体１０１０の１本または両方のランナーは、１本または１本より多くの伝導性ワイヤ（図示せず）を使用して、本開示の他の箇所の記載と類似の様式で、螺旋状に巻かれ得る。例えば、本体１０１０の１本または両方のランナーは、１本または１本より多くの伝導性ワイヤを使用して、１または１より多くの交流が１本または１本より多くの伝導性ワイヤに提供されることに応答して、電磁的効果（電磁場が挙げられるがこれに限定されない）が発生し得るように、螺旋状に巻かれ得る。
【００３７】
図１１は、本体１１１０を、１個または１個より多くのポンプ、１個または１個より多くのタンク、１本または１本より多くの管、および／あるいは他の構成要素と組み合わせる、例示的なシステム１１００の上面図を図示する。本体１１１０は、図８に図示される様式と類似の様式で円形軸を共有する、絡み合わせられて螺旋状に巻かれた２本のランナー（ランナー１１０６およびランナー１１０８）を備える。本体１１１０は、管１１０５および／または１１０７を備え得る。管１１０５は、ランナー１１０６の周囲に螺旋状に巻かれ得る。管１１０７は、ランナー１１０８の周囲に螺旋状に巻かれ得る。図１０のランナー１１０６および１１０８、ならびに／または管１１０５および１１０７は、半透明および／または透明である材料を含み得る。いくつかの実施形態において、ランナー１１０６および１１０８、ならびに／または管１１０５および１１０７は、少なくとも部分的に中空であり得る。いくつかの実施形態において、ランナー１１０６および１１０８、ならびに／または管１１０５および１１０７は、これらのランナーに長手軸方向に及ぶ１個または１個より多くの空洞を備え得る。いくつかの実施形態において、ランナー１１０６および１１０８、ならびに／または管１１０５および１１０７は、流体が一方または両方のランナーを通って流れ得るように構成され得る。
【００３８】
タンク１００３およびタンク１００４は、液体を保持するように構成され得る。タンク１００３は、ポンプ１００１に動作可能に連結され得る。タンク１００４は、ポンプ１００２に動作可能に連結され得る。ポンプ１００１は、管１１０５に動作可能に連結され得る。ポンプ１００２は、管１１０７に動作可能に連結され得る。いくつかの実施形態において、ポンプ１００１およびポンプ１００２のうちの１個または１個より多くは、管１１０５および／または管１１０７を通して液体をポンプ送りするように構成され得る。いくつかの実施形態において、ポンプ１００１およびポンプ１００２のうちの１個または１個より多くは、管１１０５および／または管１１０７を通して特定の方向に液体をポンプ送りするように構成され得る。いくつかの実施形態において、液体は、管１１０５内で、管１１０７と比較して異なる方向にポンプ送りされ得る。いくつかの実施形態において、１個のポンプが、管１１０５および管１１０７を通して液体をポンプ送りするように構成され得る。いくつかの実施形態において、１個のタンクが、管１１０５および管１１０７を通してポンプ送りするために使用される液体を保持するように構成され得る。
【００３９】
いくつかの実施形態において、本体１１１０の一方または両方のランナーおよび／あるいは本体１１１０の一方または両方の管は、１本または１本より多くの伝導性ワイヤ（図示せず）を使用して、本開示の他の箇所の記載と類似の様式で螺旋状に巻かれ得る。例えば、本体１０１０の一方または両方のランナーおよび／あるいは本体１１１０の一方または両方の管は、１本または１本より多くの伝導性ワイヤを使用して、１または１より多くの交流が１本または１本より多くの伝導性ワイヤに提供されることに応答して、電磁的効果（電磁場が挙げられるがこれに限定されない）が発生し得るように、螺旋状に巻かれ得る。
【００４０】
図１〜図１１に示される本体および／またはシステムの任意のものが、電気システムにおいて使用され得る。伝導性ワイヤが、１本または１本より多くのランナー、１本または１本より多くの支柱、および／あるいはこれらの任意の組み合わせの周囲に螺旋状に巻かれて、電力がこれらの伝導性ワイヤのうちの１本または１本より多くに供給されるときに特定の電磁的性質を有する、電気システムを製造し得る。
【００４１】
本明細書中に記載される電気システムのうちの任意のものの用途としては、植物および／または他の生物の成長および／または成長速度に影響を与えること、医療用途、治療用途、エネルギー産生、エネルギー変換、エネルギー転換、アデノシン三リン酸（ＡＴＰ）産生、ＡＴＰ転移、ＡＴＰプロセシング、ならびに／あるいは他の用途が挙げられ得る。
【００４２】
いくつかの実施形態において、図１〜図１１に示される本体（および／またはその複数の例）のうちのいずれかを備える電気システムは、電気回路の構成要素として使用され得、（チューナブル）誘導器、（テスラ）コイル、変圧器、変換器、トランジスタ、抵抗器、ソレノイド、電気モータ用の固定子、電磁石、電磁パルス発生機、電磁アクチュエータ、エネルギー変換デバイス、位置サーボ機構、発電機、ステップ電動機、直流電動機、（非接触）リニアドライブ、アキシャルフラックスデバイス（ａｘｉａｌ  ｆｌｕｘ  ｄｅｖｉｃｅ）、透磁率の測定デバイス、双極マグネット、ならびに電子および／または粒子の軌跡を変更するデバイスが挙げられる、１つ以上の機能および／または用途を実施し得る。
【００４３】
説明として、図１２は、本体１１１０（図１１に示される）と類似である本体を備える電気システム１１５を図示する。本体１１１０は、図１１に示されるランナー１１０６およびランナー１１０８と類似かまたは同じであり得る第一のランナーおよび第二のランナーを備え得る。本体１１１０は、図１１に示される管１１０５および管１１０７と類似かまたは同じであり得る第一の管および第二の管を備え得る。本体１１１０は、第一の重心を有する環形状に配置され得る。
【００４４】
図１２を参照すると、いくつかの実施形態において、本体１１１０は、環形状に配置され得る。伝導性ワイヤ（図示せず）は、図１２に図示されるランナーの周囲に巻かれ得る。電気システム１１５は、ユーザインターフェース１２０、１個もしくは１個より多くの物理プロセッサ１１０、１個もしくは１個より多くのセンサ１４２、電子記憶装置１３０、１個もしくは１個より多くの電流源１２、入力構成要素１１１、再生構成要素１１２、処理構成要素１１３、および／または他の構成要素のうちの１つまたは１つより多くをさらに備え得る。
【００４５】
センサ（単数または複数）１４２は、情報を運ぶ出力信号を発生させるように構成され得る。この情報は、電気生理学的情報および／または他の情報を含み得る。いくつかの実施形態において、１個または１個より多くのセンサ１４２は、オーディオセンサ、マイクロホン、聴診器、圧力センサ、モーションセンサ、近接センサ、電磁センサ、電極、温度センサ、電流センサ、光センサ、電気光学センサ、および／もしくは他のセンサまたはこれらの組み合わせのうちの１つまたは１つより多くを含み得る。いくつかの実施形態において、１個または１個より多くのプロセッサ１１０は、情報処理能力を提供するように、そして／またはコンピュータプログラムの構成要素（入力構成要素１１１、再生構成要素１１２、処理構成要素１１３、および／もしくは他の構成要素が挙げられるが、これらに限定されない）を実行するように、構成され得る。非限定的な例として、センサ１４２、プロセッサ１１０、ユーザインターフェース１２０、電子記憶装置１３０、入力構成要素１１１、再生構成要素１１２、および／または処理構成要素１１３のさらなる構造および／または特徴は、米国特許出願第１４／１９４，４１２号（発明の名称「Ｈｅａｌｔｈ  Ａｐｐｌｉｃａｔｉｏｎｓ  ｆｏｒ  Ｕｓｉｎｇ  Ｂｉｏ−Ｆｅｅｄｂａｃｋ  ｔｏ  Ｃｏｎｔｒｏｌ  ａｎ  Ｅｌｅｃｔｒｏｍａｇｎｅｔｉｃ  Ｆｉｅｌｄ」、２０１４年２月２８日出願、これは、その全体が本開示に参考として援用される）に記載されているかもしれない。この出願はまた、本明細書中で「４１２号出願」と称され得る。
【００４６】
１個または１個より多くの電流源１２は、電気リード線（本体１１１０のランナーおよび／または管の周囲に巻かれた１本または１本より多くの伝導性ワイヤの電気リード線が挙げられるが、これらに限定されない）を流れる１または１より多くの電流を誘導するように構成され得る。いくつかの実施形態において、この１または１より多くの電流は、１または１より多くの交流を含み得る。いくつかの実施形態において、１または１より多くの誘導電流は、１または１より多くの、センサにより発生させられる出力信号に対応し得る。いくつかの実施形態において、この１または１より多くの誘導電流は、システム１１５の変換器および／または１個もしくは１個より多くの他の構成要素によって発生させられた、１つまたは１つより多くの信号に対応し得る。
【００４７】
図１２を参照すると、いくつかの実施形態において、本体１１１０のランナーの周囲に巻かれた伝導性ワイヤに供給される電流は、１つまたは１つより多くの電気的特徴（周波数、振幅、電力レベル、および／または他の電気的動作特徴が挙げられるが、これらに限定されない）に関して、同じまたは類似であり得る。いくつかの実施形態において、本体１１１０のランナーの周囲に巻かれた伝導性ワイヤに供給される電流の１つまたは１つより多くの電気的特徴は、異なり得る。
【００４８】
いくつかの実施形態において、本体１１１０に供給される交流は、キャリア信号および変調信号を含み得る。いくつかの実施形態において、この交流のために使用されるキャリア信号は、無線周波数信号であり得る。本明細書中で使用される場合、無線周波数とは、約３０ｋＨｚから約３０ＧＨｚの周波数をいい得る。いくつかの実施形態において、この交流のための変調信号は、振幅変調、周波数変調、位相変調、デジタル変調、および／または他の型の変調のうちの１つまたは１つより多くによって、変調され得る。
【００４９】
いくつかの実施形態において、この交流に含まれる１つまたは１つより多くの周波数は、周波数発生機および／または器具（楽器）によって発生させられた、音、音色、または和音のオーディオ録音に基づき得る。例えば、第一の周波数は、中央ハ音の上のイ音（Ａ４とも称され、これは使用されるチューニングシステムに依存して、約４３２Ｈｚの周波数を有する音を含み得る）を弾くピアノの音に基づき得る。例えば、第二の周波数は、Ａ４と協和音を作る音程の音（例えば、Ｅ５であり、これは、約６４８Ｈｚの周波数を有する音を含み得る）を弾く、同じ楽器（例えば、ピアノ）の音に基づき得る。このチューニングは、ピタゴラス音律と称され得る。数学的に完璧なチューニングは、３：２の比を有する音を組み合わせ得る。異なる型のチューニング（またはチューニングシステム）（平均律チューニング（ｅｑｕａｌ  ｔｅｍｐｅｒｅｄ  ｔｕｎｉｎｇ）が挙げられるが、これに限定されない）が使用され得、そして本開示の範囲内であるとみなされる。
【００５０】
プロセッサ１１０は、デジタルプロセッサ、アナログプロセッサ、情報を処理するように設計されたデジタル回路、中央処理装置、画像処理装置、情報を処理するように設計されたアナログ回路、および／または情報を電子的に処理するための他の機構のうちの１つまたは１つより多くを含み得る。プロセッサ１１０は、図１２において、１個の実体として図示されているが、これは説明の目的のみである。いくつかの実施形態において、プロセッサ１１０は、複数の処理装置を含み得る。
【００５１】
構成要素１１１〜１１３は、図１２において、１個の処理装置内に一緒に位置するように図示されているが、プロセッサ１１０が複数の処理装置を含む実施形態において、構成要素１１１〜１１３のうちの１つまたは１つより多くは、他の構成要素から遠隔に位置し得ることが理解されるべきである。本明細書中に記載される異なる構成要素１１１〜１１３によって提供される機能の説明は、説明の目的であり、限定することを意図されない。なぜなら、構成要素１１１〜１１３のいずれもが、記載されるより多い機能または少ない機能を提供し得るからである。例えば、構成要素１１１〜１１３のうちの１つまたは１つより多くは、除去され得、そしてその機能のうちのいくつかまたは全ては、構成要素１１１〜１１３のうちの他のものによって、組み込まれ得、共有され、統合され、そして／または他の態様で提供され得る。プロセッサ１１０は、構成要素１１１〜１１３のうちの１つの下に属する機能のうちのいくつかまたは全てを実施し得る、１つまたは１つより多くのさらなる構成要素を実行するように構成され得ることに留意のこと。
【００５２】
入力構成要素１１１は、情報を、例えば１個または１個より多くのデジタルオーディオファイルから、あるいは代替的に、かつ／または同時に、センサが発生させる出力信号に基づいて、得るように構成され得る。いくつかの実施形態において、この情報は、記憶装置（例えば、電子記憶装置）から得られ得る。記憶装置から得られた情報は、任意の形式（ＭＰ３、ＷＭＡ、ＷＡＶ、ＡＩＦＦ、および／または他のオーディオ形式が挙げられるが、これらに限定されない）の電子オーディオファイルを含み得る。いくつかの実施形態において、情報は、音源（周波数発生機、蓄音機、ＣＤプレイヤー、ＤＶＤプレイヤー、ＡＭラジオ、ＦＭラジオ、および／または他の音源が挙げられる）から得られ得る。
【００５３】
処理構成要素１１３は、入力構成要素１１１からの得られた情報を処理するように構成され得る。いくつかの実施形態において、処理構成要素１１３は、入力構成要素１１１からの得られた情報に基づいて、処理された信号を発生させるように構成され得る。例えば、処理モジュール１１３は、入力モジュール１１１からの情報または信号を変換し、フィルタリングし、変更し、そして／または他の態様で転換して、処理された信号を発生させ得る。
【００５４】
再生構成要素１１２は、音響信号を、入力構成要素１１１からの得られた情報および／または処理構成要素１１３からの処理された信号のうちの１つまたは１つより多くに基づいて、生成するように構成され得る。再生構成要素１１２によって生成された音響信号は、本体８５ａおよび／または本体８５ｂの１本または１本より多くのランナーの周囲に巻かれた１本または１本より多くの伝導性ワイヤのリード線に電気的に連結され得、その結果、その誘導電流は、この音響信号に対応し、そして／またはこの音響信号に基づく。代替的に、かつ／または同時に、この誘導電流は、再生構成要素１１２によって生成された音響信号によって制御され得、そして／またはこの音響信号に基づき得る。いくつかの実施形態において、再生モジュール１１２によって生成された音響信号は、１本または１本より多くの伝導性ワイヤのリード線に電気的に連結される前に、増幅器によって増幅され得る。いくつかの好ましい実施形態において、この増幅器は、１００Ｗから４００Ｗの範囲の音響増幅器であり得る。他の型の音響増幅器および／または異なる電力範囲を有する音響増幅器もまた、想定される。
【００５５】
図１４Ａは、本開示の他の箇所に記載されるような、２本または２本より多くの絡み合わせられて螺旋状に巻かれたランナーを有する本体の１本または１本より多くのランナーの周囲に、捩られたワイヤ１４２１および／または捩られたワイヤ１４２２を配線するための配線図１４１１を図示する。いくつかの実施形態において、捩られたワイヤ１４２１は、第一のランナー（例えば、図８に示されるランナー８８と同じかまたは類似）の周囲に巻かれ得る。１つまたは１つより多くの信号が、捩られたワイヤ１４２１に、４本のリード線（図１４Ａにおいて円で囲まれた正記号または負記号により示される）を通して提供され得る。捩られたワイヤ１４２１に提供される信号は、周波数発生機、器具（楽器）、および／または別の音源によって発生させられた、音、音色、または和音のオーディオ録音に基づき得る。非限定的な例として、この信号は、入力構成要素（例えば、図１２に示される入力構成要素１１１と同じかもしくは類似）によって得られた情報、処理構成要素（例えば、図１２に示される処理構成要素１１３と同じかもしくは類似）によって発生させられた処理された信号、再生構成要素（例えば、図１２に示される再生構成要素１１２と同じかもしくは類似）によって生成された音響信号、および／または音響増幅器１４０５からの増幅された信号と類似であり得るか、またはこれらに基づき得る。いくつかの実施形態において、音響増幅器１４０５は、複数のオーディオチャネル（例えば、図１４Ａにおいて標識「ａ」および「ｂ」により表されるチャネル「ａ」およびチャネル「ｂ」）を支持し得る。音響増幅器１４０５のチャネル「ａ」の信号は、「Ｆ１」の標識を付けられる。いくつかの実施形態において、信号Ｆ１は、特定の周波数を実質的に含み得、そして／または特定の周波数に基づき得る。図１４Ａに示されるように、信号Ｆ１の正の側は、捩られたワイヤ１４２１の４本のリード線のうちの２本に電気的かつ／または動作可能に接続され得、ここでこれらの２本の選択されるリード線は、捩られたワイヤ１４２１の両端にある。信号Ｆ１の負の側は、捩られたワイヤ１４２１の４本のリード線のうちの残りの２本に電気的かつ／または動作可能に接続され得、ここでこれらのリード線は、捩られたワイヤ１４２１の両端にあり得る。
【００５６】
いくつかの実施形態において、配線図１４１１は、第二の捩られたワイヤ１４２２を含み得る。いくつかの実施形態において、捩られたワイヤ１４２２は、第二のランナー（例えば、図８に示されるランナー８９と同じかまたは類似）の周囲に巻かれ得る。１つまたは１つより多くの信号が、捩られたワイヤ１４２２に、４本のリード線（図１４Ａにおいて円で囲まれた正記号または負記号により示される）を通して提供され得る。捩られたワイヤ１４２２に提供される信号は、いくつかの実施形態において、捩られたワイヤ１４２１に提供される信号（例えば、Ｆ１信号）と同じであり得る。いくつかの実施形態において、捩られたワイヤ１４２２に提供される信号は、音響増幅器１４０５のチャネル「ｂ」によって提供され得る。いくつかの実施形態において、捩られたワイヤ１４２２に提供される信号は、音響増幅器１４１０の１個または１個より多くのチャネルにより提供され得る。音響増幅器１４１０の信号は、「Ｆ２」の標識を付けられる。いくつかの実施形態において、信号Ｆ２は、特定の周波数を実質的に含み得、そして／または特定の周波数に基づき得る。この特定の周波数は、信号Ｆ１について使用される周波数と異なる周波数であり得る。例えば、信号Ｆ１は、２５０Ｈｚの周波数に基づき得、そして信号Ｆ２は、信号Ｆ１の周波数の４倍の周波数（例えば、１０００Ｈｚ）に基づき得る。同様に、信号Ｆ１およびＦ２は、非限定的な例として、それぞれ２１６Ｈｚおよび８６４Ｈｚであり得る。図１４Ａに示されるように、信号Ｆ２の正の側は、捩られたワイヤ１４２２の両端にある、捩られたワイヤ１４２２の２本の正のリード線に電気的かつ／または動作可能に接続され得る。信号Ｆ２の負の側は、捩られたワイヤ１４２２の両端にある、捩られたワイヤ１４２２の２本の負のリード線に電気的かつ／または動作可能に接続され得る。
【００５７】
図１４Ｂは、本開示の他の箇所に記載されるような、絡み合わせられて螺旋状に巻かれた２本のランナーを有する本体の２本のランナーの周囲に、捩られたワイヤ１４３１および捩られたワイヤ１４３２を配線するための配線図１４１２を図示する。いくつかの実施形態において、捩られたワイヤ１４３１は、第一のランナー（例えば、図８に示されるランナー８８と同じかまたは類似）の周囲に巻かれ得る。いくつかの実施形態において、捩られたワイヤ１４３２は、第二のランナー（例えば、図８に示されるランナー８９と同じかまたは類似）の周囲に巻かれ得る。１つまたは１つより多くの信号は、捩られたワイヤ１４３１に、４本のリード線を通して提供され得、そして捩られたワイヤ１４３２に、４本のリード線を通して提供され得る（図１４Ｂにおいて円で囲まれた正記号または負記号により示される）。いくつかの実施形態において、捩られたワイヤ１４３１および１４３２に提供される信号は、複数のオーディオチャネル（例えば、図１４Ｂにおいて標識「ａ」および「ｂ」により表されるようなチャネル「ａ」およびチャネル「ｂ」）を支持する音響増幅器１４１５によって提供され得る。音響増幅器１４１５のチャネル「ａ」の信号は、「Ｆ１」の標識を付けられる。音響増幅器１４１５のチャネル「ｂ」の信号は、「Ｆ２」の標識を付けられる。図１４Ｂに示されるように、信号Ｆ１の正の側は、捩られたワイヤ１４３１および１４３２の８本のリード線のうちの２本に電気的かつ／または動作可能に接続され得、ここでこれらの２本の選択されるリード線は、両端にある。信号Ｆ１の負の側は、捩られたワイヤ１４３１および１４３２の他の２本のリード線に電気的かつ／または動作可能に接続され得、これらは、捩られたワイヤ１４２１の両端にあり得る。図１４Ｂに示されるように、信号Ｆ２の正の側は、捩られたワイヤ１４３１および１４３２の８本のリード線のうちの２本に電気的かつ／または動作可能に接続され得、ここでこれらの２本の選択されるリード線は、両端にある。信号Ｆ２の負の側は、捩られたワイヤ１４３１および１４３２の他の２本のリード線に電気的かつ／または動作可能に接続され得、これらは、捩られたワイヤ１４２１の両端にあり得る。配線図１４１２を使用するいくつかの実施形態において、信号Ｆ１は、２５０Ｈｚの周波数に基づき得、そして信号Ｆ２は、信号Ｆ１の周波数の４倍の周波数（例えば、１０００Ｈｚ）に基づき得る。同様に、信号Ｆ１およびＦ２は、非限定的な例として、それぞれ２１６Ｈｚおよび８６４Ｈｚであり得る。
【００５８】
いくつかの実施形態において、配線図１４１１および／または配線図１４１２に示されるように、絡み合わせられて螺旋状に巻かれた２本のランナーの周囲の２本の捩られたワイヤの配線は、２個、３個、またはより多くの本体が互いに近接して配置されている電気システムを配線するための基礎として使用され得る。このような電気システムは、図１０に示されるシステム１０００、または図１１に示されるシステム１１００と、同じかまたは類似であり得る。例えば、それぞれが絡み合わせられて螺旋状に巻かれた２本のランナーを備える２個の本体を使用する電気システムにおいて、その４本のランナーは、合計１６本のリード線を有する４本の捩られたワイヤで巻かれ得る。これらのリード線は、１個、２個、および／もしくは４個の音響増幅器、ならびに／またはそのチャネル（これらは、音響増幅器１４０５、音響増幅器１４１０、および／または音響増幅器１４１５（例えば、チャネル「ａ」および「ｂ」を使用する）と同じかまたは類似である）に電気的かつ／または動作可能に接続されるために使用され得る。
【００５９】
図１２のシステム１１５の電子記憶装置１３０は、情報を電子的に格納する電子記憶媒体を備える。電子記憶装置１３０の電子記憶媒体は、システム１１５と一体的に提供される（すなわち、実質的にリムーバブルでない）システム記憶装置、および／または例えば、ポート（例えば、ＵＳＢポート、ファイアワイヤポートなど）もしくはドライブ（例えば、ディスクドライブなど）を介してシステム１１５に接続可能であるリムーバブル記憶装置のうちの一方または両方を含み得る。電子記憶装置１３０は、光読み取り可能記憶媒体（例えば、光ディスクなど）、磁気読み取り可能記憶媒体（例えば、磁気テープ、磁気ハードドライブ、フロッピー（登録商標）ドライブなど）、電荷ベースの記憶媒体（例えば、ＥＰＲＯＭ、ＥＥＰＲＯＭ、ＲＡＭなど）、ソリッドステート記憶媒体（例えば、フラッシュドライブなど）、および／または他の電子読み取り可能記憶媒体のうちの１つまたは１つより多くを含み得る。電子記憶装置１３０は、ソフトウェアアルゴリズム、プロセッサ１１０により決定される情報、ユーザインターフェース１２０を介して受信される情報、および／またはシステム１１５が適切に機能することを可能にする他の情報を格納し得る。例えば、電子記憶装置１３０は、音声情報および／または電子オーディオファイル（本明細書中の他の箇所で議論されるような）、ならびに／あるいは他の情報を格納し得る。電子記憶装置１３０は、システム１１５内の別の構成要素であり得るか、または電子記憶装置１３０は、システム１１５の１つもしくは１つより多くの他の構成要素（例えば、プロセッサ１１０）と一体的に提供され得る。
【００６０】
図１２のシステム１１５のユーザインターフェース１２０は、システム１１５とユーザ（例えば、ユーザ１０８、被験体１０６、治療奉仕者、治療決定者など）との間にインターフェースを提供するように構成される。このインターフェースを介して、ユーザはシステム１１５に情報を提供し得、そしてシステム１１５から情報を受信し得る。このことは、データ、結果、および／または命令ならびに他の任意の通信可能な項目（「情報」と総称される）が、ユーザとシステム１１５との間で通信されることを可能にする。ユーザ１０８に運ばれ得る情報の例は、再生モジュール１１２によって生成される音響信号の音量および／または強度の指標である。ユーザインターフェース１２０に含まれるのに適切なインターフェースデバイスの例としては、キーパッド、ボタン、スイッチ、キーボード、ノブ、レバー、表示スクリーン、タッチスクリーン、スピーカー、マイクロホン、表示灯、可聴警告音、およびプリンターが挙げられる。情報は、ユーザ１０８または被験体１０６に、ユーザインターフェース１２０によって、聴覚信号、視覚信号、触覚信号、および／または他の感覚信号の形態で提供され得る。
【００６１】
他の通信技術（固定配線または無線のいずれか）もまた、本明細書中においてユーザインターフェース１２０として想定されることが理解されるべきである。例えば、１つの実施形態において、ユーザインターフェース１２０は、電子記憶装置１３０によって提供されるリムーバブル記憶インターフェースと一体化され得る。この例において、情報は、システム１１５にリムーバブル記憶装置（例えば、スマートカード、フラッシュドライブ、リムーバブルディスクなど）からロードされ、このことは、ユーザ（単数または複数）がシステム１１５をカスタマイズすることを可能にする。システム１１５と一緒にユーザインターフェース１２０として使用するために適合された他の例示的な入力デバイスおよび技術としては、ＲＳ−２３２ポート、ＲＦリンク、ＩＲリンク、モデム（電話、ケーブル、イーサネット（登録商標）、またはインターネットなど）が挙げられるが、これらに限定されない。要約すれば、システム１１５と情報を通信するための任意の技術が、ユーザインターフェース１２０として想定される。
【００６２】
図１３Ａおよび図１３Ｂは、治療および／または電磁的効果を被験体に提供する方法１３００および１４００を図示する。以下に提示される方法１３００および１４００の動作は、例証的であることを意図される。特定の実施形態において、方法１３００および１４００は、記載されない１つまたは１つより多くのさらなる動作を伴って、そして／あるいは議論される動作のうちの１つまたは１つより多くを伴わずに、達成され得る。さらに、方法１３００および１４００の動作が図１３Ａおよび図１３Ｂに図示されて以下に記載される順序は、限定であることを意図されない。
【００６３】
特定の実施形態において、方法１３００および１４００は、１つまたは１つより多くの処理デバイス（例えば、デジタルプロセッサ、アナログプロセッサ、情報を処理するように設計されたデジタル回路、情報を処理するように設計されたアナログ回路、および／または情報を電子的に処理するための他の機構）で実施され得る。１つまたは１つより多くの処理デバイスは、方法１３００および１４００の動作のうちのいくつかまたは全てを、電子記憶媒体に電子的に格納された命令に応答して実施する、１つまたは１つより多くのデバイスを備え得る。１つまたは１つより多くの処理デバイスは、方法１３００および１４００の動作のうちの１つまたは１つより多くの実施のために特に設計されるように、ハードウェア、ファームウェア、および／またはソフトウェアを介して構成された、１つまたは１つより多くのデバイスを備え得る。
【００６４】
方法１３００に関して、動作１３０２において、電気システムが、被験体上またはその近傍に配置される。この電気システムは、本体を備える。この本体は、第一のランナーおよび第二のランナーを備える。この第一のランナーとこの第二のランナーとは、互いに螺旋状に絡み合わせられている。この本体は、重心を有する環形状に配置される。第一の伝導性ワイヤが、この第一のランナーの周囲に（例えば、図８に示されるように）巻かれる。この第一のランナーの少なくとも一部は中空であり、その結果、この第一のランナーは、この第一のランナーに長手軸方向に及ぶ空洞を備える。この第一のランナーは、液体に対して非浸透性でありかつ半透明および／または透明である材料を含む。いくつかの実施形態において、動作１３０２は、システム１０００（図１０に示され、本明細書中に記載されている）と同じかまたは類似であるシステムによって実施される。
【００６５】
動作１３０４において、交流が、第一の伝導性ワイヤを通して誘導され、その結果、この交流は、第一の重心またはその近傍に電磁的効果をもたらす。この電磁的効果は、被験体に治療を提供し得る。いくつかの実施形態において、動作１３０４は、電流源１２（図１２に示され、本明細書中に記載されている）と同じかまたは類似である電流源によって実施される。
【００６６】
動作１３０６において、液体が、第一のランナーの空洞内にポンプ送りされる。この液体は、この第一のランナーの材料を通して電磁放射線を放出する。この放出された電磁放射線は、治療に寄与し得る。いくつかの実施形態において、動作１３０６は、ポンプ１００１（図１０に示され、本明細書中に記載されている）と同じかまたは類似であるポンプによって実施される。
【００６７】
方法１４００に関して、動作１４０２において、システムが、被験体上またはその近傍に配置される。このシステムは、本体を備える。この本体は、第一のランナーおよび第二のランナーを備える。この第一のランナーとこの第二のランナーとは、互いに螺旋状に絡み合わせられている。この本体は、重心を有する環形状に配置される。この本体は、この第一のランナーの周囲に螺旋状に巻かれた管をさらに備える。この管は、液体に対して非浸透性でありかつ半透明および／または透明である材料を含む。いくつかの実施形態において、動作１４０２は、システム１１００（図１１に示され、本明細書中に記載されている）と同じかまたは類似であるシステムによって実施される。
【００６８】
動作１４０４において、液体が、第一のランナーの周囲に巻かれた管内にポンプ送りされる。この液体は、この管の材料を通して電磁放射線を放出する。この放出された電磁放射線は、被験体に治療を提供し得る。いくつかの実施形態において、動作１４０４は、ポンプ１００１（図１１に示され、本明細書中に記載されている）と同じかまたは類似であるポンプによって実施される。
【００６９】
本発明は、最も実践的かつ好ましい実施形態であると現在見なされるものに基づいて、例証の目的のために詳細に説明されたが、そのような詳細は、もっぱらそのような目的のためのものであること、ならびに本発明は、開示される実施形態に限定されず、逆に、添付の特許請求の範囲の趣旨および範囲内にある修正および同等の配列を網羅することを意図することが理解されるべきである。例えば、本発明は、可能な範囲において、任意の実施形態の１つ以上の特徴が、任意の他の実施形態の１つ以上の特徴と組み合わせられ得ることを想定することが理解されるべきである。
【符号の説明】
【００７０】
１５  本体
１６  ランナー
１７  ランナー
１８  支柱
【図１】
2015085196.tif 000003
【図２】
2015085196.tif 000004
【図３】
2015085196.tif 000005
【図４】
2015085196.tif 000006
【図５】
2015085196.tif 000007
【図６】
2015085196.tif 000008
【図７】
2015085196.tif 000009
【図８】
2015085196.tif 000010
【図９】
2015085196.tif 000011
【図１０】
2015085196.tif 000012
【図１１】
2015085196.tif 000013
【図１２】
2015085196.tif 000014
【図１３】
2015085196.tif 000015
【図１４】
2015085196.tif 000016